(57)【要約】【課題】  ネジの脱着性を向上させつつ、繰り返して使用することが可能な整理シートを提供する。【解決手段】  縦糸部２Ａ及びこの縦糸部２Ａと交差する横糸部２Ｂを有して網目状に構成されたシート２に、縦糸部２Ａ及び横糸部２Ｂのうち少なくとも一方が切断又は除去された切断部２Ｅを設ける。そして、ネジを仮保持する際には、切断部２Ｅにネジを挿入する。これにより、ネジ１０を容易に整理シート１に装着することができるとともに、整理シート１を引き裂くことなく容易に仮保持されたネジ１０を整理シート１から取り外すことができる。【選択図】図１
2011174479.tif 000002
【特許請求の範囲】
【請求項１】
ネジを仮保持するためのネジの整理用シートであって、
可撓性を有するとともに、縦糸部及びこの縦糸部と交差する横糸部を有して網目状に構成されたシートを備え、
前記シートの一部には、前記縦糸部及び前記横糸部のうち少なくとも一方を切断又は除去した切断部が設けられており、
さらに、前記切断部にネジが挿入されることを特徴とするネジの整理用シート。
【請求項２】
前記切断部は、前記縦糸部と前記横糸部とが交わる交差部からずれた位置に設けられていることを特徴とする請求項１に記載のネジの整理用シート。
【請求項３】
前記切断部は、前記縦糸部と前記横糸部とが交わる交差部に設けられていることを特徴とする請求項１又は２に記載のネジの整理用シート。
【請求項４】
前記切断部の切断面は、前記縦糸部又は前記横糸部に対して略４５度であることを特徴とする請求項３に記載のネジの整理用シート。
【請求項５】
前記切断部は、その他の部位と異なる色にて構成されていることを特徴とする請求項１ないし４のいずれか１項に記載のネジの整理用シート。
【請求項６】
前記縦糸部と前記横糸部とは直交した格子状の網目を構成しており、
さらに、前記網目の対角線長さは、前記切断部に挿入されるネジのネジ径未満であることを特徴とする請求項１ないし５のいずれか１項に記載のネジの整理用シート。
【請求項７】
前記縦糸部及び前記縦糸部の太さ寸法は、前記切断部に挿入されるネジのピッチ寸法の１０％以上、３００％以下であることを特徴とする請求項１ないし６のいずれか１項に記載のネジの整理用シート。
【発明の詳細な説明】
【技術分野】
【０００１】
本発明は、ネジを仮保持するためのネジの整理用シートに関するものである。
【背景技術】
【０００２】
例えば、特許文献１に記載のネジの整理用シート（以下、整理シートと略す。）は、ゴム等の弾力性のあるシートにネジを挿入するための挿入口を設けるとともに、この挿入口の中心から放射状に延びるミシン目を設けた構造となっている。
【０００３】
そして、挿入口の直径寸法より大きなネジ径を有するネジを挿入口に挿入すると、ミシン目に沿って整理シートが破断し、特許文献１の図３に示すように、隣り合う破断面（ミシン目が設けられていた部位）に挟まれた扇状の板状部分が、ネジの首下部分（ネジ部）側に変形するとともに、首下部分の略全周に亘って面接触又は線接触するため、ネジが整理シートに係止される。
【先行技術文献】
【特許文献】
【０００４】
【特許文献１】実開平６−８００１９号公報
【発明の概要】
【発明が解決しようとする課題】
【０００５】
しかし、特許文献１に記載の発明では、扇状の板状部分がネジの首下部分（ネジ部）側に変形して首下部分の略全周に亘って接触するため、整理シートに係止保持されたネジを取り外すには、整理シートをミシン目に沿って引き裂いてネジの係止状態を開放する必要がある（特許文献１の段落０００４の（ロ）参照）。このため、特許文献１に記載の発明では、整理シートを再使用することができず、経済性等の点で好ましくない。
【０００６】
また、ネジを整理シートに係止させるためには、ミシン目が破断する程度の力でネジを挿入口に挿入する必要がある一方、ネジを取り外すには、整理シートをミシン目に沿って引き裂く必要があるので、特許文献１に記載の発明はネジの脱着性が低い。
【０００７】
本発明は、上記点に鑑み、ネジの脱着性を向上させつつ、繰り返して使用することが可能な整理シートを提供することを目的とする。
【課題を解決するための手段】
【０００８】
本発明は、上記目的を達成するために、ネジを仮保持するためのネジの整理用シートであって、可撓性を有するとともに、縦糸部及びこの縦糸部と交差する横糸部を有して網目状に構成されたシートを備え、シートの一部には、縦糸部及び横糸部のうち少なくとも一方を切断又は除去した切断部が設けられており、さらに、切断部にネジが挿入されることを特徴とする。
【０００９】
これにより、本発明では、縦糸部及び横糸部（以下、両糸部を総称するときは、糸部と記す。）のうち少なくとも一方が切断又は除去されているので、縦糸部と横糸部との交差部から突出する可撓性を有する糸状の突起部が切断部に形成された状態となる。このため、切断部にネジが挿入されると、糸状の突起部及びその周囲の糸部が弾性的に撓み変形してネジの首下部に圧接し、ネジがシートに保持される。
【００１０】
このとき、本発明では、糸状の突起部及びその周囲の糸部が弾性変形するのに対して、
特許文献１に記載に記載の発明では、扇状の板状部分が弾性変形するので、本発明では特許文献１に記載に記載の発明に比べて容易に弾性変形する。このため、本発明では、容易にネジをシートに装着することができるとともに、シートを引き裂くことなく容易に仮保持されたネジをシートから取り外すことができる。
【００１１】
また、本発明では、糸状の突起部及びその周囲の糸部がネジと圧接してネジを仮保持することとなるが、糸状の突起部及びその周囲の糸部とのネジとの接触面積は、扇状の板状部分でネジと接触する場合に比べて小さいので、糸状の突起部及びその周囲の糸部がネジに作用させる弾性力が小さい場合であっても、接触面圧を十分に大きくすることができる。さらに、シートのうちネジと接触する部分が糸状であるので、このネジと接触する部分がネジの谷部に嵌り込むようにネジと係合し易い。
【００１２】
このため、本発明では、糸状の突起部及びその周囲の糸部がネジに作用させる弾性力が小さくしてネジの脱着性を向上させつつ、ネジをシートに確実に仮保持させることができる。
【００１３】
したがって、本発明では、ネジの脱着性を向上させつつ、繰り返して整理用シートを使用することができる。
また、切断部が縦糸部と横糸部とが交わる交差部からずれた位置に設けられた構成、又は切断部が縦糸部と横糸部とが交わる交差部に設けられた構成のいずれであってもよい。
【００１４】
また、切断部の切断面を縦糸部又は横糸部に対して略４５度とすれば、糸状の突起部がネジの谷部に嵌り込み易くなるので、ネジをシートにより確実に仮保持させることができる。
【００１５】
また、切断部をその他の部位と異なる色にて構成すれば、切断部を容易に視認することができるので、シートにネジを挿入する際の作業工数（作業時間）を低減することができる。
【００１６】
また、縦糸部と横糸部とが直交した格子状の網目を構成されている場合には、網目の対角線長さは、切断部に挿入されるネジのネジ径未満とすることが望ましい。
さらに、縦糸部及び縦糸部の太さ寸法は、切断部に挿入されるネジのピッチ寸法の１０％以上、３００％以下とすることが望ましい。
【図面の簡単な説明】
【００１７】
【図１】本発明の実施形態に係る整理シート１の斜視図である。
【図２】（ａ）〜（ｅ）は、本発明の実施形態に係る切断部２Ｅの拡大図である。
【図３】本発明の実施形態に係る整理シート１の製造工程を示す工程図である。
【図４】本発明の実施形態に係る整理シート１にネジ１０を挿入した状態を示す図である。
【発明を実施するための形態】
【００１８】
以下に本発明の実施形態を図面と共に説明する。
１．整理シートの構成
本実施形態に係る整理シート１は、図１に示すように、縦糸部２Ａ及びこの縦糸部２Ａと交差する横糸部２Ｂを有して網目状に構成されたシート２からなるものであり、本実施形態では、縦糸部２Ａと横糸部２Ｂとが略直交した格子状の網目となっている。
【００１９】
そして、縦糸部２Ａと横糸部２Ｂとにより構成される矩形状の穴部２Ｃは、略正方形となるように、複数本の縦糸部２Ａ及び横糸部２Ｂそれぞれが同一のピッチ寸法Ｐ１にて配
設されている。
【００２０】
また、シート２は、樹脂からなる可撓性を有するものであり、縦糸部２Ａ及び横糸部２Ｂは樹脂成形により形成されている。このため、シート２は、縦糸部２Ａと横糸部２Ｂとが交わる交差部２Ｄも含めて継ぎ目の無い網目状の部材となっている。なお、本実施形態では、樹脂材料として、ポリエステル、ポリエチレン、ナイロン、塩化ビニール又はポリプロピレン等を想定している。
【００２１】
また、交差部２Ｄ又はその近傍には、図２（ａ）〜（ｃ）に示すように、縦糸部２Ａ及び横糸部２Ｂのうち少なくとも一方が切断又は除去された切断部２Ｅが設けられており、この切断部２Ｅは、交差部２Ｄからずれた位置（図２（ａ）〜図２（ｄ）参照）、又は交差部２Ｄの位置（図２（ｅ）参照）に設けられている。そして、本実施形態では、切断部２Ｅの切断面２Ｆが鋭角状となるように、切断面２Ｆの切断角度を縦糸部２Ａ又は横糸部２Ｂの長手方向に対して略４５度としている。
【００２２】
なお、図２（ａ）〜図２（ｅ）では、切断部２Ｅは、縦糸部２Ａ又は横糸部２Ｂの一部が切断除去されて隙間が設けられているように記載されているが、本実施形態は、これに限定されるものではなく、単純に切断（シャー加工）のみを施してもよい。
【００２３】
また、シート２には、切断部２Ｅが複数箇所設けられており、これら切断部２Ｅのうち隣り合う切断部２Ｅ間は、少なくとも１つの交差部２Ｄが配置されているとともに、切断部２Ｅには、その他の部位と異なる色が着色されている。
【００２４】
２．整理シートの製造方法（図３参照）
本実施形態に係る整理シート１は、図３に示すように、概ね３つ製造工程を経て製造される。
【００２５】
すなわち、先ず、射出成形法等の樹脂成形によりシート２を成形した後（Ｓ１）、切断部２Ｅに相当する部位に着色を行う（Ｓ２）。次に、着色された部位、つまり切断部２Ｅを形成する部位にシャー加工又はポンチ加工を施して、縦糸部２Ａ及び横糸部２Ｂのうち少なくとも一方を切断又は除去して切断部２Ｅを形成する（Ｓ３）。
【００２６】
３．整理シートの使用方法
例えば、図１に示すように、ネジ１０にバネ座１１及び平座１２を挿入した状態で、そのネジ１０を首下部１０Ａ側から切断部２Ｅに挿入する。このとき、縦糸部２Ａ及び横糸部２Ｂ（以下、両糸部を総称するときは、糸部と記す。）のうち少なくとも一方が切断又は除去されているので、図２（ａ）〜図２（ｄ）に示すように、交差部２Ｄから突出する可撓性を有する糸状の突起部２Ｇが切断部２Ｅに形成された状態となる。
【００２７】
このため、切断部２Ｅにネジ１０が挿入されると、糸状の突起部２Ｇ及びその周囲の糸部（交差部２Ｄも含む。）が弾性的に撓み変形して、図４に示すように、ネジ１０の首下部１０Ａに圧接し、ネジ１０が整理シート１に仮保持される。
【００２８】
また、整理シート１からネジ１０を取り外す際には、ネジ１０の挿入時とは逆向きにネジ１０を整理シート１から引き抜けばよい。
４．本実施形態に係る整理シートの特徴
本実施形態では、糸状の突起部２Ｇ及びその周囲の糸部（交差部２Ｄも含む。以下同様）が弾性変形するのに対して、特許文献１に記載に記載の発明では、扇状の板状部分が弾性変形するので、本実施形態では特許文献１に記載に記載の発明に比べて容易に弾性変形する。
【００２９】
このため、本実施形態では、ネジ１０を容易に整理シート１に装着することができるとともに、整理シート１を引き裂くことなく容易に仮保持されたネジ１０を整理シート１から取り外すことができる。
【００３０】
また、本実施形態では、糸状の突起部２Ｇ及びその周囲の糸部がネジ１０と圧接してネジ１０を仮保持することとなるが、糸状の突起部２Ｇ及びその周囲の糸部とのネジ１０との接触面積は、扇状の板状部分でネジ１０と接触する場合に比べて小さいので、糸状の突起部２Ｇ及びその周囲の糸部がネジ１０に作用させる弾性力が小さい場合であっても、接触面圧を十分に大きくすることができる。
【００３１】
さらに、整理シート１のうちネジ１０と接触する部分が糸状であるので、図４に示すように、ネジ１０と接触する部分がネジ１０の谷部に嵌り込むようにネジ１０と係合し易い。
【００３２】
このため、本実施形態では、糸状の突起部２Ｇ及びその周囲の糸部がネジ１０に作用させる弾性力が小さくしてネジ１０の脱着性を向上させつつ、ネジ１０を整理シート１に確実に仮保持させることができる。
【００３３】
したがって、本実施形態では、ネジ１０の脱着性を向上させつつ、繰り返して整理シート１を使用することができる。
また、切断部２Ｅの切断面２Ｆを縦糸部２Ａ又は横糸部２Ｂに対して略４５度としているので、糸状の突起部２Ｇがネジ１０の谷部に嵌り込み易くなり、ネジ１０を整理シート１により確実に仮保持させることができる。
【００３４】
また、切断部２Ｅをその他の部位と異なる色に着色しているので、切断部２Ｅを容易に視認することができ、整理シート１にネジ１０を挿入する際の作業工数（作業時間）を低減することができる。
【００３５】
なお、本実施形態では、上記の効果を確実に得るべく、網目（穴部２Ｃ）の対角線長さを、切断部２Ｅに挿入されるネジ１０のネジ１０径未満とするとともに、縦糸部２Ａ及び縦糸部２Ａの太さ寸法を、切断部２Ｅに挿入されるネジ１０のピッチ寸法の１０％以上、３００％以下としている。
【００３６】
また、本実施形態に係る整理シート１は、網目状のシート２に切断部２Ｅを設けることにより得ることができるので、製造工数が小さく、安価に所望の効果を得ることができる整理シート１を提供することができる。
【００３７】
また、糸状の突起部２Ｇ及びその周囲の糸部が弾性変形することによりネジ１０を仮保持するので、様々なサイズのネジ１０を容易に仮保持することができ、１種類のシート２にて様々なサイズのネジ１０に対応することができる。
【００３８】
また、シート２が可撓性を有しているので、例えば、ネジ１０が仮保持されたままのシート２を丸め、又は重ね、又は折り曲げ、又は壁に設けられたフックに吊り下げることができ、整理シート１の使い勝手を向上させることができる。
【００３９】
つまり、持ち運ぶ場合には、シート２を丸め、又は重ね、又は折り曲げることにより、整理シート１をコンパクトして可搬性を向上させ、また、保管時には、シート２を壁に設けられたフックに吊り下げることにより容易に管理・保管することができる。
【００４０】
また、本実施形態に係るシート２を利用すると、例えば機械のメンテナンス時に取り外したネジ１０を再び組み付ける際に、取り外したネジ１０の組み付け忘れを未然に防止することも可能となる。
【００４１】
すなわち、メンテナンス対象の機械からネジ１０を取り外した際に、取り外したネジ１０にバネ座１１等を挿入した状態で、順次、そのネジ１０をシート２に挿入していく。そして、取り外したネジ１０を、シート２から取り外しながら、順次、メンテナンス対象の機械に組み付けていく。
【００４２】
このため仮に、取り外したネジ１０のうち組み付け忘れのネジ１０があった場合には、シート２にネジ１０が残ってしまい、組み付け忘れのネジ１０があるか否かが一目瞭然に判別することができる。
【００４３】
つまり、メンテナンスを行う場合においては、作業者は、取り外したネジ１０を順次、シート２に挿入していき、メンテナンス作業が終了したと作業者が思ったときに、再度、作業者がシート２を目視確認すれば、組み付け忘れのネジ１０があるか否かが一目瞭然に判別することができるので、取り外したネジ１０の組み付け忘れを未然に防止することができる。
【００４４】
（その他の実施形態）
上述の実施形態では、樹脂成形時にシート２を所定の大きさとしたが、本発明はこれに限定されるものではなく、例えば、市販のシートを購入し、これを所定の大きさにカッティングしてもよい。
【００４５】
また、上述の実施形態では、着色工程（Ｓ２）を切断工程（Ｓ３）の前に行ったが、本発明はこれに限定されるものではなく、例えば、切断工程（Ｓ３）後に着色工程（Ｓ２）を行う、又はシート２の樹脂成形時に切断部２Ｅを同時に形成する等してもよい。
【００４６】
また、上述の実施形態では、網目（穴部２Ｃ）を矩形状としたが、本発明はこれに限定されるものではなく、例えば菱形状としてもよい。
また、上述の実施形態では、バネ座１１及び平座１２が挿入されたネジ１０を整理シート１に装着する場合を例に、その使用方法を説明したが、本発明に係る整理シート１の使用方法はこれに限定されるものではなく、例えばネジ１０のみを整理シート１に装着してもよい。
【００４７】
また、上述の実施形態では、切断部２Ｅの切断面２Ｆが鋭角状となるように、切断面２Ｆの切断角度を縦糸部２Ａ又は横糸部２Ｂの長手方向に対して略４５度としたが、本発明はこれに限定されるものではなく、例えば、三角状としてもよい。
【００４８】
また、本発明は、特許請求の範囲に記載された発明の趣旨に合致するものであればよく、上述の実施形態に限定されるものではない。
【符号の説明】
【００４９】
１…整理シート、２…シート、２…整理シート、２Ａ…縦糸部、２Ｂ…横糸部、
２Ｃ…穴部、２Ｄ…交差部、２Ｅ…切断部、２Ｆ…切断面、２Ｇ…突起部、
１０…ネジ、１０Ａ…首下部、１２…バネ座１１及び平座、Ｐ１…ピッチ寸法。
【図１】
2011174479.tif 000003
【図２】
2011174479.tif 000004
【図３】
2011174479.tif 000005
【図４】
2011174479.tif 000006